(57)【要約】【課題】  ページ誤りの異常、特に、入力処理段階（印刷データの受信、展開等）に発生する文字化け等のエラーを異常として検出できるようにした印刷システムおよびそのページ誤り検査方法、および印刷装置を提供する。【解決手段】  印刷システム１０では、印刷データが送られてくると、第１の入力処理部１１と第２の入力処理部１２の両方で入力処理（受信、展開等）を行うとともに、この第１の入力処理部１１を経たページイメージを含むデータが出力制御部１３へと供給され、当該ページイメージに基づいた印刷が印刷部１４で行われる。ここで、検査部１５では、この印刷部１４から出力された印刷物を撮像部１４ａで撮像して得られた印刷ページイメージと、第２の入力処理部１２を経たページイメージとを比較し、ページ誤りの検査を行うことになる。【選択図】  図１
2008009862.tif 000002
【特許請求の範囲】
【請求項１】
印刷データに基づいて印刷を行うとともに、該印刷にページ誤りがないか否かの検査を行う印刷システムにおいて、
前記印刷データを受信するとともに、該受信した印刷データをページイメージに展開する第１の入力処理を行う第１の入力処理手段と、
前記印刷データを受信するとともに、該受信した印刷データをページイメージに展開する第２の入力処理を行う第２の入力処理手段と、
前記第１の入力処理手段による前記第１の入力処理で展開されたページイメージに基づいて印刷された印刷物を撮像した印刷ページイメージと、前記第２の入力処理手段による第２の入力処理で展開されたページイメージとを比較し、ページ誤りがないか否かの検査を行う検査手段と
を具備することを特徴とする印刷システム。
【請求項２】
前記検査手段でページ誤りが検出された場合に、その異常を報知するとともに、当該ページ誤りが検出されたページに対するリカバリ印刷を制御するリカバリ処理手段
をさらに具備することを特徴とする請求項１記載の印刷システム。
【請求項３】
前記検査手段でページ誤りが検出された場合に、前記第１の入力処理手段による第１の入力処理で展開されたページイメージあるいは、前記第２の入力処理手段による第２の入力処理で展開されたページイメージのいずれかを選択するリカバリ選択手段
をさらに具備し、
前記リカバリ処理手段は、
前記リカバリ選択手段で選択されたページイメージに対するリカバリ印刷を制御する
ことを特徴とする請求項２記載の印刷システム。
【請求項４】
印刷データに基づいて印刷を行うとともに、該印刷にページ誤りがないか否かの検査を行う印刷システムにおいて、
前記印刷データを受信するとともに、該受信した印刷データをページイメージに展開する第１の入力処理を行う第１の入力処理手段と、
前記印刷データを受信するとともに、該受信した印刷データをページイメージに展開する第２の入力処理を行う第２の入力処理手段と、
前記第１の入力処理手段による前記第１の入力処理で展開されたページイメージと、前記第２の入力処理手段による第２の入力処理で展開されたページイメージとを比較し、ページ誤りがないか否かの検査を行う検査手段と
を具備することを特徴とする印刷システム。
【請求項５】
印刷データに基づいて印刷を行うとともに、該印刷にページ誤りがないか否かの検査を行う印刷システムのページ誤り検査方法において、
前記印刷データを受信するとともに、該受信した印刷データをページイメージに展開する第１の入力処理を第１の入力処理手段で行い、
前記印刷データを受信するとともに、該受信した印刷データをページイメージに展開する第２の入力処理を第２の入力処理手段で行い、
前記第１の入力処理手段による前記第１の入力処理で展開されたページイメージに基づいて印刷された印刷物を撮像した印刷ページイメージと、前記第２の入力処理手段による前記第２の入力処理で展開されたページイメージとを検査手段で比較し、ページ誤りがないか否かの検査を行う
ことを特徴とする印刷システムのページ誤り検査方法。
【請求項６】
印刷データを受信するとともに、該受信した印刷データをページイメージに展開する入力処理を行う入力処理手段を有し、該ページイメージに基づいて印刷物を出力する印刷装置において、
前記入力処理手段とは別に設けられ、該入力処理手段と同様の入力処理を行う第２の入力処理手段と、
前記印刷物を撮像した印刷ページイメージと、前記第２の入力処理手段による入力処理で展開されたページイメージとを比較し、ページ誤りがないか否かの検査を行う検査手段と
を具備することを特徴とする印刷装置。
【発明の詳細な説明】
【技術分野】
【０００１】
本発明は、印刷データに基づいて印刷を行うとともに、該印刷にページ誤りがないか否かの検査を行う印刷システムおよびそのページ誤り検査方法、および印刷装置に係わり、詳しくは、印刷データの受信、展開処理等を行う入力処理手段を２重化するようにした印刷システムおよびそのページ誤り検査方法、および印刷装置に関する。
【背景技術】
【０００２】
従来より、ページ間の整合性を検査する機能（この機能がページ誤り検査装置により実現されてもよい）を備えた印刷システムが知られており、この種のシステムでは一般に、ページ順序の整合性の検査と、同一用紙上の両面（表裏）ページの整合性の検査とを行うことでページ間の整合性を検査している。
【０００３】
例えば、この両面ページの整合性の検査では、特許文献１のように、用紙上にページ順序を識別するためのマークを印字し、このマークに基づいて表裏各面の印刷内容が整合しているか否かを検査する技術が知られている。
【０００４】
ここで、図６を用いて、この種の印刷システムの構成と、その動作の概要について説明する。同図に示す印刷システム２０へ印刷データが送られてくると、入力処理部２１において、印刷データを受信するとともに、それを展開し、この展開して得られたページイメージと、かかるイメージに対する印刷属性（例えば、給紙トレイを指定した情報）を示すページコントロール情報とを出力制御部２２に供給する。これを受けた出力制御部２２では、この入力処理部２１からのページイメージと、ページコントロール情報とに基づいて、制御信号（印刷部２３の動作を制御するための信号）とともに、当該ページイメージを印刷部２３へと供給する。
【０００５】
印刷部２３では、出力制御部２２からの制御信号に基づいて用紙等の記録媒体上にページイメージを形成し印刷を行うことになり、検査部２４においては、この印刷物を撮像部２３ａで撮像して得られた印刷ページイメージと、元のページイメージとを比較して、ページ誤りの検査を行うことになる。
【特許文献１】特開平０８−３０５０９４号
【発明の開示】
【発明が解決しようとする課題】
【０００６】
ところが、上述した従来の構成においては、印刷段階で発生したページ誤りを検出することはできるが、印刷データの受信、展開等を行う入力処理段階に、電気的な雑音や静電気等を原因として発生する文字化け等のエラーを検出することはできなかった。
【０００７】
これは、従来の構成では、基準となる比較元のページイメージに文字化けが発生していたとしても、その文字化け等が発生した元のページイメージと、それに基づいて印刷された印刷物を撮像した印刷ページイメージとを比較していたからである。
【０００８】
よって従来、この種のエラーが発生した場合には、原因不明のエラーとして片付けるしか方法がなく、有効な対応策がなかった。
【０００９】
そこで、本発明は上記問題点に鑑みてなされたものであり、ページ誤りの異常、特に、入力処理段階（印刷データの受信、展開等）に発生する文字化け等のエラーを異常として検出できるようにした印刷システムおよびそのページ誤り検査方法、および印刷装置を提供することを目的とする。
【課題を解決するための手段】
【００１０】
上記目的を達成するため、請求項１の発明は、印刷データに基づいて印刷を行うとともに、該印刷にページ誤りがないか否かの検査を行う印刷システムにおいて、前記印刷データを受信するとともに、該受信した印刷データをページイメージに展開する第１の入力処理を行う第１の入力処理手段と、前記印刷データを受信するとともに、該受信した印刷データをページイメージに展開する第２の入力処理を行う第２の入力処理手段と、前記第１の入力処理手段による前記第１の入力処理で展開されたページイメージに基づいて印刷された印刷物を撮像した印刷ページイメージと、前記第２の入力処理手段による第２の入力処理で展開されたページイメージとを比較し、ページ誤りがないか否かの検査を行う検査手段とを具備することを特徴とする。
【００１１】
また、請求項２の発明は、請求項１の発明において、前記検査手段でページ誤りが検出された場合に、その異常を報知するとともに、当該ページ誤りが検出されたページに対するリカバリ印刷を制御するリカバリ処理手段をさらに具備することを特徴とする。
【００１２】
また、請求項３の発明は、請求項２の発明において、前記検査手段でページ誤りが検出された場合に、前記第１の入力処理手段による第１の入力処理で展開されたページイメージあるいは、前記第２の入力処理手段による第２の入力処理で展開されたページイメージのいずれかを選択するリカバリ選択手段をさらに具備し、前記リカバリ処理手段は、前記リカバリ選択手段で選択されたページイメージに対するリカバリ印刷を制御することを特徴とする。
【００１３】
また、請求項４の発明は、印刷データに基づいて印刷を行うとともに、該印刷にページ誤りがないか否かの検査を行う印刷システムにおいて、前記印刷データを受信するとともに、該受信した印刷データをページイメージに展開する第１の入力処理を行う第１の入力処理手段と、前記印刷データを受信するとともに、該受信した印刷データをページイメージに展開する第２の入力処理を行う第２の入力処理手段と、前記第１の入力処理手段による前記第１の入力処理で展開されたページイメージと、前記第２の入力処理手段による第２の入力処理で展開されたページイメージとを比較し、ページ誤りがないか否かの検査を行う検査手段とを具備することを特徴とする。
【００１４】
また、請求項５の発明は、印刷データに基づいて印刷を行うとともに、該印刷にページ誤りがないか否かの検査を行う印刷システムのページ誤り検査方法において、前記印刷データを受信するとともに、該受信した印刷データをページイメージに展開する第１の入力処理を第１の入力処理手段で行い、前記印刷データを受信するとともに、該受信した印刷データをページイメージに展開する第２の入力処理を第２の入力処理手段で行い、前記第１の入力処理手段による前記第１の入力処理で展開されたページイメージに基づいて印刷された印刷物を撮像した印刷ページイメージと、前記第２の入力処理手段による前記第２の入力処理で展開されたページイメージとを検査手段で比較し、ページ誤りがないか否かの検査を行うことを特徴とする。
【００１５】
また、請求項６の発明は、印刷データを受信するとともに、該受信した印刷データをページイメージに展開する入力処理を行う入力処理手段を有し、該ページイメージに基づいて印刷物を出力する印刷装置において、前記入力処理手段とは別に設けられ、該入力処理手段と同様の入力処理を行う第２の入力処理手段と、前記印刷物を撮像した印刷ページイメージと、前記第２の入力処理手段による入力処理で展開されたページイメージとを比較し、ページ誤りがないか否かの検査を行う検査手段とを具備することを特徴とする。
【発明の効果】
【００１６】
本発明によれば、印刷データを受信するとともに、該受信した印刷データをページイメージに展開する第１の入力処理を行う第１の入力処理手段と、前記印刷データを受信するとともに、該受信した印刷データをページイメージに展開する第２の入力処理を行う第２の入力処理手段とを設け、前記第１の入力処理手段による前記第１の入力処理で展開されたページイメージに基づいて印刷された印刷物を撮像した印刷ページイメージと、前記第２の入力処理手段による第２の入力処理で展開されたページイメージとを比較し、ページ誤りがないか否かの検査を行うように構成したので、入力処理手段が２重化されることになり、これにより、ページ誤りの異常、特に、入力処理段階（印刷データの受信、展開等）に、電気的な雑音や静電気等を原因として発生する文字化け等のエラーを異常として検出することができる。
【発明を実施するための最良の形態】
【００１７】
以下、本発明に係わる印刷システムおよびそのページ誤り検査方法、および印刷装置の実施例について添付図面を参照して詳細に説明する。
【実施例１】
【００１８】
図１は、本発明に係わる印刷システムの全体構成を示す図である。
【００１９】
この印刷システム１０は、第１の入力処理部１１と、第２の入力処理部１２と、出力制御部１３と、印刷部１４と、検査部１５とを具備して構成される。
【００２０】
第１の入力処理部１１は、ホストコンピュータ（不図示）等からの印刷データを受信するとともに、それを展開し、この展開して得られたページイメージと、かかるイメージに対する印刷属性（例えば、給紙トレイを指定した情報）を示すページコントロール情報とを出力制御部１３に供給する機能を果たす。
【００２１】
第２の入力処理部１２は、上述した第１の入力処理部１１と同様の機能を有し、ホストコンピュータ（不図示）等からの印刷データを受信するとともに、それを展開し、この展開して得られたページイメージを検査部１５に供給する機能を果たす。この第２の入力処理部１２と、前述の第１の入力処理部１１は、それぞれ別々のバッファを持ち、印刷データの受信や、展開等の入力処理を行うことになる。なお、この第２の入力処理部１２では、ページコントロール情報を作成し、検査部１５に供給する必要はないため、供給してもしなくてもどちらでもよい。
【００２２】
このように入力処理機能を２重に設けるのは、印刷データの受信、展開等を行う入力処理段階に発生する文字化け等の異常を検出するためである。すなわち、この第１の入力処理部１１を経たページイメージと、第２の入力処理部１２とを経たページイメージとを比較し、ページ誤りの検査を行うことで、電気的な雑音や静電気等を原因として受信データに文字化け等が発生したとしても、いずれか一方では文字化け等のエラーを回避できる可能性が高いことから、この種のエラーを異常として検出できることになる。
【００２３】
出力制御部１３は、ページコントロール情報と、ページイメージとに基づいてページ管理エントリを作成し、このページ管理エントリに基づき、印刷部１４の動作を制御するための制御信号とともに、当該ページイメージを印刷部１４に供給する機能を果たす。
【００２４】
この出力制御部１３では、両面印刷時などに際して、印刷データでのページ順とは異なる順番でページイメージを印刷部１４へ供給する機能を備える。これは、ページ順を変更することで用紙搬送路の空きを極力減らし、印刷部１４の生産性（印刷速度など）を向上させるためである。
【００２５】
ページ管理エントリには、図２に示すように、シート番号や、サイド番号といった印刷属性に関する各種情報とともに、ジョブを識別するためのジョブＩＤや、ページイメージの格納場所を示すポインタ…等が格納される。ここで、シート番号は、原稿画像データが印刷されるべき用紙の番号であり、１つの印刷ジョブの開始から順に連続番号で割り当てられ、サイド番号は、１枚の用紙の表か裏かを示す番号である（例えば、表は「１」、裏は「２」など）。
【００２６】
印刷部１４は、出力制御部１３からの制御信号に基づいて用紙等の記録媒体上にページイメージを形成し印刷を行う。具体的には、制御信号中に含まれるシート番号やサイド番号に基づき印刷すべき用紙の印刷すべき面にページイメージの印刷を行うことになる。また、印刷部１４には、撮像部１４ａが設けられる。撮像部１４ａは、印刷物を撮像して印刷ページイメージを取得するとともに、そのイメージを検査部１５に出力する機能を果たす。
【００２７】
検査部１５では、印刷ページイメージと、第２の入力処理部１２から供給されるページイメージとを比較し、ページに誤りがないか否かを検査する機能を果たす。ここで、異常を検出した場合には、異常検知を出力制御部１３に通知することになる。
【００２８】
なお、この検査部１５で行われるページ間の整合性の検査は、第２の入力処理部１２から供給されるページイメージを用いて比較を行う点を除いては、従来より周知の技術を用いることになるため詳細は省略するが、例えば、印刷ページイメージと、ページイメージとの比較は、イメージ全体が一致するか否かにより検査を行うようにしてもよいし、両方のイメージ内からページ順を示すコード情報（例えば、ページ番号や、請求書内のＩＤ番号や、バーコードやＱＲ（Quick Response）コード…等）を取得し、このコード情報を比較することでページに誤りがないか否かの検査を行うようにしてもよい。このコード情報を用いてページ間の整合性の検査を行う場合には、コード情報と、当該コードに対応するコード規則（例えば、ページ番号が昇順であること、同一用紙の表裏各面ではＩＤ番号が一致していること…等）とに基づいて検査を行うことになる。
【００２９】
ここで、図３を用いて、図１に示す印刷システム１０におけるページ誤り検査処理の動作について説明する。図３は、ページ誤り検査処理の動作を示すフローチャートである。
【００３０】
この処理は、ホストコンピュータ等から印刷データが送られてくると開始される（ステップＳ１０１）。この処理が開始されると、印刷システム１０では、第１の入力処理部１１および第２の入力処理部１２において、当該データを受信するとともに、それを展開し入力処理を行うことになる（ステップＳ１０２およびステップＳ１０６）。なお、先に述べた通り、この第１の入力処理部１１と第２の入力処理部１２とでは、同様の入力処理が実行されることになる。
【００３１】
第１の入力処理部１１では、この入力処理の実行とともに、展開して得られたページイメージと、ページコントロール情報とを出力制御部１３に供給することになり、また、第２の入力処理部１２では、入力処理の実行とともに、展開して得られたページイメージを検査部１５に出力することになる。
【００３２】
この第１の入力処理部１１からの入力を受けた出力制御部１３では、ページイメージとともに、制御信号を印刷部１４に供給し（ステップＳ１０３）、印刷部１４では、この制御信号に基づいてページイメージを用紙に形成し印刷を行うことになる（ステップＳ１０４）。
【００３３】
印刷部１４から出力された印刷物は、撮像部１４ａで撮像され、この撮像された結果得られた印刷ページイメージが検査部１５へ入力される（ステップＳ１０５）。これを受けた検査部１５では、この印刷ページイメージと、第２の入力処理部１２から受けたページイメージとを比較し、ページ誤りがないか否かの検査を行う（ステップＳ１０７）。
【００３４】
検査の結果、ページ誤りがない場合には（ステップＳ１０８でＮＯ）、そのまま、この処理を終了することになるが、一方で、入力処理段階で文字化け等の異常が発生したことにより、イメージデータが一致せずに、ページ誤りを検出した場合には（ステップＳ１０８でＹＥＳ）、検査部１５から出力制御部１３へ異常検知が通知され、これを受けた出力制御部１３が、印刷部１４へのページイメージや制御信号の供給を停止し、印刷部１４における印刷動作を停止させる。また、これに並行してユーザインターフェース（不図示）への出力を制御し、ユーザに異常の旨を伝えることになる（ステップＳ１０９）。そして、この処理を終了する。
【００３５】
以上説明したように本発明においては、第１の入力処理部１１と、第２の入力処理部１２とを設け、入力処理（印刷データの受信、展開等）を２重化するようにしたので、ページ誤りの異常、特に、入力処理段階（印刷データの受信、展開等）に、電気的な雑音や静電気等を原因として発生する文字化け等のエラーを異常として検出することができる。
【実施例２】
【００３６】
次に実施例２について説明する。実施例２は、上記実施例１に加えて異常の要因となったページに対するリカバリ印刷を行うように構成したものである。
【００３７】
図４は、実施例２に係わる印刷システムの全体構成を示す図である。なお、上記実施例１を説明した図１と同一の符号が付してあるものは、略同様に動作するので、その説明は省略し、ここでは相違点を挙げて説明する。
【００３８】
この印刷システム１０は、第１の入力処理部１１と、第２の入力処理部１２と、出力制御部１３と、印刷部１４と、検査部１５と、リカバリ選択部１６とを具備して構成される。
【００３９】
ここで、リカバリ選択部１６は、ページ誤りの異常に際して、リカバリ印刷に用いるページイメージを選択する機能を果たす。この処理は、ユーザインターフェースを介したユーザ指示に従ってリカバリ選択部１６がページイメージを選択することにより行われる。例えば、入力処理段階に文字化けの異常が発生したことでリカバリ印刷を行う場合には、第１の入力処理部１１、第２の入力処理部１２のいずれかで処理されたページイメージに文字化けが生じていることになり、ここでユーザは、ユーザインターフェースから文字化けが生じていない方のページイメージを選択し、リカバリ印刷を指示することになる。
【００４０】
また、出力制御部１３内部には、リカバリ処理部１３ａが設けられ、このリカバリ処理部１３ａでは、検査部１５からの異常検知の通知とともに、上述したリカバリ選択部１６で選択させたページイメージに対するリカバリ印刷の出力を制御することになる。この処理は、印刷部１４の動作を制御するための制御信号とともに、リカバリ対象のページイメージを印刷部１４に供給することにより行われる。以上が実施例２に係わる印刷システム１０の機能的な構成の説明である。
【００４１】
次に、図５を用いて、図４に示す印刷システム１０におけるページ誤り検査処理の動作について説明する。図５は、ページ誤り検査処理の動作を示すフローチャートである。
【００４２】
この処理は、ホストコンピュータ等から印刷システム１０へ印刷データが送られてくると開始される（ステップＳ２０１）。この処理が開始されると、まず、第１の入力処理部１１および第２の入力処理部１２において、当該データを受信するとともに、それを展開し入力処理を行うことになる（ステップＳ２０２およびステップＳ２０６）。なお、先に述べた通り、この第１の入力処理部１１と第２の入力処理部１２とでは、同様の入力処理が実行されることになる。
【００４３】
第１の入力処理部１１では、この入力処理の実行とともに、展開して得られたページイメージと、ページコントロール情報とを出力制御部１３に供給することになり、また、第２の入力処理部１２では、入力処理の実行とともに、展開して得られたページイメージを検査部１５に出力することになる。
【００４４】
この第１の入力処理部１１からの供給を受けた出力制御部１３では、ページイメージとともに、制御信号を印刷部１４に供給し（ステップＳ２０３）、印刷部１４では、この制御信号に基づいてページイメージを用紙に形成し印刷を行うことになる（ステップＳ２０４）。
【００４５】
印刷部１４から出力された印刷物は、撮像部１４ａで撮像され、この撮像された結果得られた印刷ページイメージが検査部１５へ入力される（ステップＳ２０５）。これを受けた検査部１５では、この印刷ページイメージと、第２の入力処理部１２から受けたページイメージとを比較し、ページ誤りがないか否かの検査を行う（ステップＳ２０７）。
【００４６】
検査の結果、ページ誤りがない場合には（ステップＳ２０８でＮＯ）、そのまま、この処理を終了することになるが、一方で、入力処理段階で文字化け等の異常が発生したことにより、イメージデータが一致せずに、ページ誤りを検出した場合には（ステップＳ２０８でＹＥＳ）、検査部１５から出力制御部１３へ異常検知が通知され、これを受けた出力制御部１３が、印刷部１４へのページイメージや制御信号の供給を停止し、印刷部１４における印刷動作を停止させる。また、これに並行してユーザインターフェース（不図示）への出力を制御し、ユーザに異常の旨を伝えることになる（ステップＳ２０９）。
【００４７】
これを参照したユーザは、リカバリ印刷を行うために、リカバリ対象となるページイメージを選択することになる。すなわち、第１の入力処理部１１あるいは第２の入力処理部１２のいずれかで処理されたページイメージの内、文字化け等のエラーが生じていない方のページイメージを選択することになる（ステップＳ２１０）。
【００４８】
このユーザ指示を受けたリカバリ選択部１６は、ユーザに選択されたページイメージをリカバリ処理部１３ａへ伝え、リカバリ処理部１３ａが、制御信号とともに、このリカバリ対象のページイメージを印刷部１４に供給する。
【００４９】
これによりリカバリ印刷が行われ、この印刷が終了すると、通常の印刷処理に復帰することになる（ステップＳ２１１）。そして、この処理を終了する。
【００５０】
以上説明したように実施例２においては、実施例１に加えて、リカバリ選択部１６とリカバリ処理部１３ａを設けることにより、リカバリ印刷を行うように構成したため、実施例１で説明した効果に加えてさらに、利便性が増すことになる。
【００５１】
なお、上記実施例１および上記実施例２においては、印刷物を撮像した印刷ページイメージと、かかるイメージとは異なる入力処理部で処理されたページイメージとを比較することにより、入力処理段階〜印刷段階におけるページ誤りの異常を検出する場合を説明したが、これに限られず、第１の入力処理部１１を経たページイメージと、第２の入力処理部１２を経たページイメージとを比較し、入力処理段階に発生した異常だけを検出するように構成してもよい。
【００５２】
また、上記実施例１および上記実施例２で説明した印刷システム１０は、印刷装置と、ページ誤り検査装置とを具備して構成されるものであり、このページ誤り検査装置内には、少なくとも検査部１５が備わっていればよく、第２の入力処理部１２は、印刷装置側にあってもページ誤り検査装置側にあってもよい。
【００５３】
さらに、このページ誤り検査装置を適用した印刷装置により本発明を実施するように構成してもよい。
【００５４】
この他、本発明は、上記および図面に示す実施例に限定することなく、その要旨を変更しない範囲内で適宜変形して実施できるものである。
【産業上の利用可能性】
【００５５】
本発明の印刷システムおよびそのページ誤り検査方法、および印刷装置は、入力処理段階〜印刷段階におけるページ誤りの異常を検出する印刷システム全般に適用可能であり、ページ誤りの異常、特に、入力処理段階（印刷データの受信、展開等）に発生する文字化け等のエラーを異常として検出できる。
【図面の簡単な説明】
【００５６】
【図１】本発明に係わる印刷システムの全体構成を示す図である。
【図２】ページ管理エントリの一例を示す図である。
【図３】図１に示す印刷システムにおけるページ誤り検査処理の動作を示すフローチャートである。
【図４】実施例２に係わる印刷システムの全体構成を示す図である。
【図５】図４に示す印刷システムにおけるページ誤り検査処理の動作を示すフローチャートである。
【図６】従来技術の問題点を示す図である。
【符号の説明】
【００５７】
１０、２０    印刷システム
１１    第１の入力処理部
１２    第２の入力処理部
１３、２２    出力制御部
１３ａ    リカバリ処理部
１４、２３    印刷部
１４ａ、２３ａ    撮像部
１５、２４    検査部
１６    リカバリ選択部
２１    入力処理部
【図１】
2008009862.tif 000003
【図２】
2008009862.tif 000004
【図３】
2008009862.tif 000005
【図４】
2008009862.tif 000006
【図５】
2008009862.tif 000007
【図６】
2008009862.tif 000008